(57)【要約】【課題】モニター上のカーソルの位置決めを行う。【解決手段】カーソル撮影装置２００の画像合成回路２６０により、特殊マーク（カーソル）をモニター１００の表示エリアに合成させて表示させる。次に撮影機２３０で該表示エリアを撮影して、画像処理回路２５０により画像の線検出、識別処理を行い、撮影機の画素を利用して特殊マークと撮影機のフォーカススポットの画像座標値を取得する。この撮影機のフォーカススポットと特殊マークが一致して重なるため必要な特殊マーク移動量を算出し、特殊マークの座標値を画像合成回路に送り、画像信号に合成してモニターの表示エリアに表示する。特殊マークと撮影機のフォーカススポットが重なっているかどうかを検知して、特殊マークの座標値をデータシステム３００に送信する。
2006515090.tif 000002
【特許請求の範囲】
【請求項１】
モニター画面の撮影操作によってカーソルの位置決めを行う装置であって、
データシステムに対してカーソル撮影装置を付加する構成をなし、
前記カーソル撮影装置は、制御回路と、撮影機と、画像処理回路と、計算ユニットと、複数のキースイッチと、画像合成回路と、通信インターフェースとからなり、
前記撮影機は、前記制御回路の制御を受けて、モニターの表示エリアおよび表示された特殊マークを撮影して画像データを前記制御回路に伝送し、
前記画像処理回路は、前記制御回路の制御を受けて、撮影機が撮影したモニターの画像信号の線検出および識別処理を行い、さらに、処理後のデータを再び制御回路に送り戻し、
前記計算ユニットは、前記制御回路の制御を受けて、制御回路から関連データを入力して、特殊マークおよび撮影フォーカスポイントの実際の座標値を計算した後、前記制御回路に出力する処理を行い、
前記複数のキースイッチは、モニターの操作入力及びモニター上のフォーカスポイントの表示操作を行い、
前記画像合成回路は、モニターと接続され、前記制御回路の制御を受け、上記計算ユニットにより算出された特殊マークの実際の座標値による画像合成処理を行い、合成後の画像データをモニターの表示エリアに出力して表示し、
前記通信インターフェースは、前記制御回路と接続され、さらにデータシステムと接続されて上記特殊マークの実際の座標値の送信を行う
ことを特徴とするモニター画面の撮影操作によってカーソルの位置決めを行う装置。
【請求項２】
前記カーソル撮影装置の制御回路、画像処理回路および計算ユニットは、チップからなることを特徴とする請求項１記載のモニター画面の撮影操作によってカーソルの位置決めを行う装置。
【請求項３】
前記カーソル撮影装置の制御回路および計算ユニットは、チップからなり、前記チップは画像処理回路と接続されていることを特徴とする請求項１記載のモニター画面の撮影操作によってカーソルの位置決めを行う装置。
【請求項４】
前記カーソル撮影装置の制御回路および画像処理回路は、チップからなり、前記チップは計算ユニットと接続されていることを特徴とする請求項１記載のモニター画面の撮影操作によってカーソルの位置決めを行う装置。
【請求項５】
前記カーソル撮影装置の制御回路は、チップからなり、前記チップは画像処理回路と計算ユニットと接続されていることを特徴とする請求項１記載のモニター画面の撮影操作によってカーソルの位置決めを行う装置。
【請求項６】
モニター画面の撮影操作によってカーソルの位置決めを行う装置であって、
データシステムに対してカーソル撮影装置を付加する構成をなし、
前記カーソル撮影装置は、
制御回路と、撮影機と、複数のキースイッチと、通信インターフェースと、データシステムとからなり、
前記撮影機は、前記制御回路の制御を受けて、モニターの表示エリアおよび特殊マークを撮影して、画像データを前記制御回路に伝送し、
前記通信インターフェースは、前記制御回路と接続され、さらにデータシステムと接続されて、前記撮影機が撮影した画像データの前記データシステムへ伝送し、
前記複数のキースイッチは、モニターの操作入力及びモニター上のフォーカスポイントの表示操作を行い
前記データシステムは、前記画像データを読取った後、その画像データの線検出および識別処理を行い、関連数値を代入して計算した後、撮影機のフォーカススポットの実際の座標値を得て、特殊マークを撮影機のフォーカススポットの実際の座標値に位置決めし、画像信号をモニターの表示エリアに出力して表示し、特殊マークの座標値を取得する
ことを特徴とするモニター画面の撮影操作によってカーソルの位置決めを行う装置。
【請求項７】
前記カーソル撮影装置の制御回路は、チップからなることを特徴とする請求項６記載のモニター画面の撮影操作によってカーソルの位置決めを行う装置。
【請求項８】
前記カーソル撮影装置の通信インターフェースは、信号ケーブルによってデータシステムと接続され、前記制御回路が有線通信方式によって信号の伝達を行うことを特徴とする請求項１または６記載のモニター画面の撮影操作によってカーソルの位置決めを行う装置。
【請求項９】
前記カーソル撮影装置の通信インターフェースは、無線通信方式によってデータシステムに信号の伝達を行うことを特徴とする請求項１または６記載のモニター画面の撮影操作によってカーソルの位置決めを行う装置。
【請求項１０】
前記データシステムはアナログテレビ用のデジタルコンバータであることを特徴とする請求項１または６記載のモニター画面の撮影操作によってカーソルの位置決めを行う装置。
【請求項１１】
前記データシステムは、コンピュータであることを特徴とする請求項１または６記載のモニター画面の撮影操作によってカーソルの位置決めを行う装置。
【請求項１２】
前記データシステムは、デジタルテレビであることを特徴とする請求項１または６記載のモニター画面の撮影操作によってカーソルの位置決めを行う装置。
【請求項１３】
前記データシステムは、テレビゲーム機システムであることを特徴とする請求項１または６記載のモニター画面の撮影操作によってカーソルの位置決めを行う装置。
【発明の詳細な説明】
【技術分野】
【０００１】
本発明はモニター画面の撮影操作によってカーソルの位置決めを行う装置に関し、特にカーソル撮影装置が先ず画像合成回路を利用して特殊マーク（カーソル）をモニターの表示エリアに合成して表示し、撮影機が撮影した画像信号の線検出および識別処理を行うことによって、特殊マーク（カーソル）および撮影機のフォーカススポット（中心点）の座標データを取得し、次に画像合成回路によって画像合成処理を行なった後の画像データをモニターの表示エリアに出力して表示し、特殊マーク（カーソル）の座標値をデータシステムに伝送することによって、従来技術であるマウス（光学マウスを含む）およびリモコンに取って代わり、使用者は如何なる種類のモニター上においてもカーソル撮影装置によって操作制御ができ、モニターの種類の制限を受けないモニター画面の撮影操作によってカーソルの位置決めを行う装置に関する。
【背景技術】
【０００２】
近年、人々のテレビの機能に対する要求は益々高くなっており、高忠実、高画質、サラウンドなどの機能を強調したテレビにより、人々は優れた視覚効果を楽しんでいる。しかしながら、従来のテレビの放送方式は、視聴者個人の好き嫌いに関わらずテレビ局がすべての番組の内容、放送時間を決定し、テレビはそれらの番組を見るために使用されるだけであった。デジタル技術の普及とインターネット時代の到来に伴い、テレビの用途も広がり、視聴者は受動的に画像・音楽データを受信するだけでなく、自分のニーズに応じて必要なデータを選択して保存したり編集したりでき、高品質の画像・音楽を楽しむことができるだけでなく、インターネットや各種双方向サービスなども使用できるようになった。さらに、デジタル技術のテレビへの応用は、自由にテレビ番組の放送方式を編集して自分で決定した放送時間で放送したり、自分の好きな角度で試合を観戦したり、ニュースの興味がある部分だけ取り出して見たりでき、次世代の放送技術の新たな趨勢となっている。
【０００３】
しかし、デジタルテレビの信号はデジタル方式によって処理され、従来のテレビのアナログ方式とは異なるので、現在ほぼ全ての家庭で使用されているアナログ方式のテレビは直接デジタルテレビの信号を受信することはできない。しかし、アナログテレビに専用のチューナー装置を設置すればデジタルテレビの信号をアナログ方式のテレビを利用して視聴できるようになる。デジタルテレビを視聴する方法は基本的に三通りある。
【０００４】
１  アナログテレビに変換機を設置する方法：アナログテレビにデジタルコンバータ（Set-Top Box:ＳＴＢまたはＩＲＤ）を設置すれば、デジタルテレビの信号をアナログテレビを利用して受信できるようになり、デジタルコンバータは受信した信号を変換後、アナログテレビの画面上に表示し、信号受信、復調、逆多重化、圧縮解除、暗号復号、ビデオデータ変換処理およびリモコン信号受信などの機能を有し、視聴効果をさらに高めている。
２  デジタルテレビを使用する方法：デジタルテレビにはデジタルコンバータが内臓されているのでそのままデジタルテレビ番組を視聴できる。
３  パーソナルコンピュータにＤＴＶカードを設置する方法：数社のメーカーとテレビメーカーとがＤＴＶカードを共同開発しており、将来パーソナルコンピュータでデジタルテレビが視聴できるようになる。
【０００５】
しかし、視聴者がデジタルテレビを視聴するとき、リモコンを使用してチャンネルを選択すると共に、モニターの画面上でマウスを使用して見たい番組や機能表の該当する表示を選択する必要があり、使用上非常に不便である。
【０００６】
本発明の発明者は、上述の従来技術の欠点に鑑み、弛まぬ研究、実験および改良を経てついに本発明のモニター画面の撮影操作によってカーソルの位置決めを行う装置を案出した。
【特許文献１】特表２００２−５３４９１５号公報
【発明の開示】
【発明が解決しようとする課題】
【０００７】
本考案の目的は、カーソル撮影装置および計算によって特殊マーク（カーソル）の座標値を取得し、従来技術であるマウスによるカーソル座標値を取得する方法に取って代
わってデータシステムに送信する装置を提供することにある。
【課題を解決するための手段】
【０００８】
上述の目的を解決するために、本発明はカーソル撮影装置と、通信インターフェースとからなる。カーソル撮影装置は、通信インターフェースを通じてデータシステムと接続される。先ず画像合成回路に特殊マーク（カーソル）を画像信号に合成させ、次にモニターの表示エリアに伝送して表示する。次にカーソル撮影装置の撮影機によってモニターの表示エリアを撮影し、カーソル撮影装置の画像処理回路によって撮影した画像の線検出および識別処理を行う。計算後、特殊マーク（カーソル）および撮影機のフォーカススポット（中心点）の座標データを取得し、そのデータを画像合成回路に伝送し、画像合成回路に座標データを利用して特殊マーク（カーソル）を画像信号に合成させる。次に合成後の画像信号をモニターの表示エリアに表示し、特殊マーク（カーソル）の座標値をデータシステムに伝送する。
【発明の効果】
【０００９】
カーソル撮影装置が先ず画像合成回路を利用して特殊マーク（カーソル）をモニターの表示エリアに合成して表示し、撮影機が撮影した画像信号の線検出および識別処理を行うことによって、特殊マーク（カーソル）および撮影機のフォーカススポット（中心点）の座標データを取得し、次に画像合成回路によって画像合成処理を行なった後の画像データをモニターの表示エリアに出力して表示し、特殊マーク（カーソル）の座標値をデータシステムに伝送することによって、従来技術であるマウス（光学マウスを含む）およびリモコンに取って代わり、使用者は如何なる種類のモニター上においてもカーソル撮影装置によって操作制御ができ、モニターの種類の制限を受けない。
【発明を実施するための最良の形態】
【００１０】
上述の目的を達成するために採用した技術手段および機能を示す実施例を図に沿って詳細に説明する。
【００１１】
図１は、本発明の第１の実施例によるカーソル撮影装置の回路を示すブロック図である。カーソル撮影装置２００は通信インターフェース２２０を通じてデータシステム３００と接続される。カーソル撮影装置２００は、制御回路２１０、撮影機２３０、計算ユニット２４０、画像処理回路２５０、画像合成回路２６０および複数のキースイッチ２７０からなる。
制御回路２１０は、キースイッチ２７０と電気的に接続され、キースイッチ２７０は入力操作に使用され、モニター１００上のカーソル操作に便利になっている。画像合成回路２６０は、モニター１００と接続されており、特殊マーク（カーソル）をモニター１００の表示エリアに合成して表示でき、特殊マーク（カーソル）の座標値をデータシステム３００に伝送する。制御回路２１０は、それぞれ撮影機２３０と、計算ユニット２４０と、画像処理回路２５０と、画像合成回路２６０と電気的に接続され、撮影機２３０は制御回路２１０の操作制御を受け、モニター１００の表示エリアおよび特殊マーク（カーソル）を撮影し、その画像データを制御回路２１０に伝送する。制御回路２１０は、撮影機２３０から受信した画像データを画像処理回路２５０に線検出および識別処理させ、処理後のデータ数値を制御回路２１０に戻させる。制御回路２１０は、処理後の関連数値を計算ユニット２４０に入力し、特殊マーク（カーソル）および撮影機のフォーカススポット（中心点）のモニター上における実際の座標値を計算し、再び制御回路２１０に出力させる。制御回路２１０は特殊マーク（カーソル）の実際の座標値を画像合成回路２６０に伝送し、画像合成回路２６０に特殊マーク（カーソル）を画像信号に合成させ、モニター１００の表示エリアに伝送して表示する。同時にこの特殊マーク（カーソル）の座標値をデータシステム３００に伝送し、データシステム３００にモニター１００上の関連する特殊マーク（カーソル）の操作制御処理をさせる。
【００１２】
上述のカーソル撮影装置２００の制御回路２１０、画像処理回路２５０および計算ユニット２４０は、一チップからなる。または、制御回路２１０および計算ユニット２４０は一チップからなり、チップは画像処理回路２５０と接続される。または、制御回路２１０および画像処理回路２５０は一チップからなり、チップは計算ユニット２４０と接続される。または、制御回路２１０は一チップからなり、チップは画像処理回路２５０と計算ユニット２４０と接続される。
【００１３】
図１は、本発明の第１の実施例によるカーソル撮影装置の構成を示すブロック図である。図２は本発明の第１の実施例によるカーソル撮影装置の処理工程を示すフロー図である。本発明のモニター画面の撮影操作によってカーソルの位置決めを行う装置において、使用者がカーソル撮影装置２００を利用してモニター１００上のカーソルの操作制御動作を行なうとき、制御回路２１０は下記の座標値計算および判断のステップに基づき処理を行なう。
【００１４】
（６００）開始
【００１５】
（６１０）使用者がキースイッチ２７０操作すると、画像合成回路２６０により特殊マーク（カーソル）をモニター１００の表示エリアに合成して表示する。
【００１６】
（６２０）撮影機２３０を操作して、モニター１００の表示エリアを撮影し、撮影機２３０によって撮影した画像信号を制御回路２１０に伝送する。
【００１７】
（６３０）撮影機２３０から送り戻された画像信号を画像処理回路２５０によりこの画像の線検出および識別処理を行ない、処理後、該画像処理回路２５０からそのデータ数値を制御回路２１０に伝送させる。
【００１８】
（６４０）制御回路２１０において撮影機２３０が特殊マーク（カーソル）を撮影したかどうか判断し、撮影されている場合、下記のステップ（６５０）を行い、撮影していない場合、ステップ（６２０）を行なう。
【００１９】
（６５０）画像処理回路２５０から送り戻されたデータ数値を撮影機２３０の画素を基準として比較し、モニター１００上に表示された特殊マーク（カーソル）および撮影機のフォーカススポット（中心点）の画像座標値を取得する。
【００２０】
（６６０）モニター１００の特殊マーク（カーソル）および撮影機２３０のフォーカススポット（中心点）の画像座標値を計算ユニット２４０に伝送し、計算ユニット２４０においてこれらの座標値を利用して関連数値を代入計算することにより、撮影機２３０のフォーカススポット（中心点）と重なるために特殊マーク（カーソル）が必要とする移動量を取得でき、特殊マーク（カーソル）の実際の座標値が取得される。
【００２１】
（６７０）上記の計算により得た特殊マーク（カーソル）の実際の座標値を制御回路２１０に送り戻し、制御回路２１０に特殊マーク（カーソル）の実際の座標値を画像合成回路２６０に伝送させる。
【００２２】
（６８０）画像合成回路２６０により、この座標値を利用して特殊マーク（カーソル）を画像信号に合成する。
【００２３】
（６９０）さらに、画像合成回路２６０により、合成後の画像信号をモニター１００の表示エリアに出力して表示する。
【００２４】
（７００）特殊マーク（カーソル）と撮影機２３０のフォーカススポット（中心点）とが重なっているかどうかを検査し、重なっている場合、下記のステップ（７１０）を行い、重なっていない場合、ステップ（６２０）を行なう。
【００２５】
（７１０）特殊マーク（カーソル）の座標値をデータシステム３００に伝送し、データシステム３００にモニター１００上の関連する特殊マーク（カーソル）の操作制御処理をさせる。
【００２６】
図３に第2の実施例を示すが、第１の実施例と第２の実施例との違いは、第１の実施例においては撮影機２３０のフォーカススポット（中心点）の実際の座標値および特殊マーク（カーソル）の実際の座標値をカーソル撮影装置２００内で直接計算し、第２の実施例においては未処理の撮影信号を直接データシステム５００に伝送し、データシステム５００が撮影機４３０のフォーカススポット（中心点）の実際の座標値を計算するという点であり、その他の主要な構造の接続および動作の方式は同じである。
【００２７】
図３は、本発明の第２の実施例によるカーソル撮影装置の構成を示すブロック図である。本発明の第２の実施例において、カーソル撮影装置４００は通信インターフェース４２０を通じてデータシステム５００と接続され、カーソル撮影装置４００は制御回路４１０、撮影機４３０および複数のキースイッチ４４０を有する。制御回路４１０は別々に撮影機４３０及びキースイッチ４４０と電気的に接続され、キースイッチ４４０は使用者が操作入力を行なうために使用され、モニター１００上の特殊マーク（カーソル）の操作制御に便利になっている。また、上述のカーソル撮影装置４００の制御回路４１０は一チップからなる。
【００２８】
図３は、本発明の第２の実施例によるカーソル撮影装置の構成を示すブロック図である。図４は、本発明の第２の実施例によるカーソル撮影装置の処理工程を示すフロー図である。本発明のモニター画面の撮影操作によってカーソルの位置決めを行う装置において、使用者がカーソル撮影装置４００およびデータシステム５００を利用してモニター１００上のカーソルを操作制御するとき、制御回路４１０およびデータシステム５００は下記の座標値計算および判断のステップに基づき処理を行なう。
【００２９】
（８００）開始
【００３０】
（８１０）使用者のキースイッチ４４０操作に基づき、データシステム５００を利用して特殊マークをモニター１００の表示エリアに合成して表示する。
【００３１】
（８２０）撮影機４３０を操作制御してモニター１００の表示エリアを撮影し、撮影機４３０に撮影した画像信号を制御回路４１０に伝送させる。
【００３２】
（８３０）制御回路４１０が撮影機４３０から送り戻された画像信号を通信インターフェース４２０を通じてデータシステム５００に伝送する。
【００３３】
（８４０）データシステム５００が制御回路４１０が送り戻した画像データの線検出および識別処理を行なう。
【００３４】
（８５０）撮影機４３０が特殊マーク（カーソル）を撮影したかどうか判断し、仮に撮影した場合、下記のステップ（８６０）を行い、撮影していない場合、ステップ（８２０）を行なう。
【００３５】
（８６０）データシステム５００が撮影機４３０の画素と比較し、モニター１００の撮影機４３０のフォーカススポット（中心点）の画像座標値を取得する。
【００３６】
（８７０）データシステム５００がモニター１００の撮影機４３０のフォーカススポット（中心点）の画像座標値の計算を行い、これらの座標値を利用して関連数値を代入すると、撮影機４３０のフォーカススポット（中心点）の実際の座標値が取得される。
【００３７】
（８８０）データシステム５００が特殊マーク（カーソル）を撮影機のフォーカススポット（中心点）の実際の座標値に位置決めする。
【００３８】
（８９０）データシステム５００が画像信号をモニター１００の表示エリアに出力して表示する。
【００３９】
（９００）特殊マーク（カーソル）と撮影機４３０のフォーカススポット（中心点）とが重なっているかどうかを検査し、重なっている場合、下記のステップ（９１０）を行い、重なっていない場合、ステップ（８２０）を行なう。
【００４０】
（９１０）特殊マーク（カーソル）の座標値を取得する。
【００４１】
図１、３に示すように、本発明のカーソル撮影装置２００、４００に加えられるデータシステム３００、５００はパーソナルコンピュータ、デジタルテレビまたはアナログテレビのデジタルコンバータ（Set-Top Box:ＳＴＢまたはＩＲＤ）とすることができる。カーソル撮影装置２００、４００はマウス、タブレットまたはライトペンの機能を代替できる。
【００４２】
本発明において、カーソル撮影装置２００、４００の通信インターフェース２２０、４２０はＵＳＢインターフェース、１３９４インターフェース、ＰＳ２インターフェースまたはその他のインターフェースからなり、信号線によってデータシステム３００、５００と接続され、制御回路２１０、４１０に有線の通信方式によって信号伝達を行なわせて使用できる。
【００４３】
本発明において、通信インターフェース２２０、４２０は無線送受信インターフェースとすることができる。そのインターフェース上には無線送受信装置が設けられ、データシステム３００、５００には対応する無線送受信装置が設けられ、制御回路２１０、４１０は無線通信方式の信号伝達を行なうことができる。
【００４４】
以上の説明は本発明の好適な実施例を示すものであり、本発明の構造特徴はこれに限られず、当該技術を熟知するものによる本発明の主旨を逸脱しない範囲における変更や修飾などは全て本発明の範囲に含まれる。
【００４５】
本発明のモニター画面の撮影操作によってカーソルの位置決めを行う装置は使用時に確実にその目的を達成することができるものであり、実用性に優れた発明であり、特許要件を備える。
【図面の簡単な説明】
【００４６】
【図１】本発明の第１の実施例によるカーソル撮影装置の構成を示すブロック図である。
【図２】本発明の第１の実施例によるカーソル撮影装置の処理工程を示すフロー図である。
【図３】本発明の第２の実施例によるカーソル撮影装置の構成を示すブロック図である。
【図４】本発明の第２の実施例によるカーソル撮影装置の処理工程を示すフロー図である。
【符号の説明】
【００４７】
１００  モニター
２００  カーソル撮影装置
２１０  制御回路
２２０  通信インターフェース
２３０  撮影機
２４０  計算ユニット
２５０  画像処理回路
２６０  画像合成回路
２７０  キースイッチ
３００  データシステム
４００  カーソル撮影装置
４１０  制御回路
４２０  通信インターフェース
４３０  撮影機
４４０  キースイッチ
５００  データシステム
【図１】
2006515090.tif 000003
【図２】
2006515090.tif 000004
【図３】
2006515090.tif 000005
【図４】
2006515090.tif 000006
【国際調査報告】
2006515090.tif 000007